(57)【要約】      （修正有）【課題】ノートパソコン、タブレットコンピューター、スマートフォンなどの携帯端末およびディスプレイ装置に搭載されているインカメラは常に露出しており、使用者が意図しない時に前記インカメラが不正に起動して録画および撮影されることを防ぐインカメラの不正撮影防止装置を提供する。【解決手段】折り返し可能なインカメラ目隠し部分１０１であり、この後ろ側に前記インカメラが配置されている。目隠し部分を折り返した際に目隠し部分を支える支持部分１０２を有し、折り返しのための切れ込みの加工が施されている。折り返した際にインカメラの露出を妨げないための切り欠き部分１０３、ディスプレイ部分に張り付ける粘着部分１０４を有する。【選択図】図３
0003194999.tif 000002
【実用新案登録請求の範囲】
【請求項１】
一枚で偏平のペット板または、これに近い材質のシートを切り抜き加工したものを用いてノートパソコン、タブレットコンピューター、スマートフォンなどの携帯端末およびディスプレイ装置に搭載されているインカメラ部分を覆い隠すシートであって、前記インカメラを覆い隠す部分に沿った切れ込みを有しており、この切れ込み部分を折り返すことにより前記インカメラ部分を露出することができることを基本構造とするインカメラの不正撮影防止装置。
【請求項２】
請求項１の基本構造に前記インカメラの周囲に張り付ける粘着部分を有するシート。
【考案の詳細な説明】
【技術分野】
【０００１】本発明は、ノートパソコン、タブレットコンピューター、スマートフォンなどの携帯端末およびディスプレイ装置に搭載されているインカメラの不正な録画および撮影を防止するための装置に関する。
【背景技術】
【０００２】ノートパソコン、タブレットコンピューター、スマートフォンなどの携帯端末およびディスプレイ装置に搭載されているインカメラは常に露出しており、目隠しの機能または仕組みが付加されておらず、コンピュータウィルス等のマルウェアに感染により、使用者が意図しない時に前記インカメラが不正に起動して録画および撮影されることを防ぐことができない。【０００３】また、使用者の誤操作によって前記インカメラが起動してしまい、使用者が意図しない時に録画および撮影してしまうことも防ぐことができない。
【先行技術文献】
【特許文献】
【０００４】
【特許文献１】実願２０１１−４０３７（Ｕ２０１１−４０３７）
【考案の概要】
【考案が解決しようとする課題】
【０００５】前記インカメラが使用者が意図しない時に起動して録画および撮影されることを防ぐ為に、目隠し用の粘着テープなどをインカメラ部分に張った場合、使用者が前記インカメラを使いたいときにこれを剥がし、使い終わったら張りなおす作業を繰り返すことにより、粘着テープの剥がれが発生するなど、利便性が低下してしまう。【０００６】また、前記特許文献１の考案に係る技術もしくは、利便性が低下しないような立体的な構造を持つ装置やカバーを前記インカメラ部分に取り付けた場合は、前記携帯端末およびディスプレイ装置が本来有している蓋もしくはカバーを閉じる機構、または折りたたみの機構を物理的に妨げてしまい、前記携帯端末およびディスプレイ装置の蓋もしくはカバーを閉じることができなくなってしまう。
【課題を解決するための手段】
【０００７】前記課題を達成するために、この考案に係るインカメラの不正撮影防止装置においては、一枚で偏平のペット板または、これに近い材質のシートを切り抜き加工したものを用いて前記インカメラ部分を覆い隠すシートであって、前記インカメラを覆い隠す部分に沿った切れ込みを有しており、この切れ込み部分を折り返すことにより前記インカメラ部分を露出することができることを基本構造とする。【０００８】そして、前記基本構造に前記インカメラの周囲に張り付ける粘着部分を有するシートとする。
【考案の効果】
【０００９】前記手段を用いたインカメラの不正撮影防止装置を使用することにより、前記シートを張り付けた状態のままで、前記インカメラを覆い隠す部分の折り返しにより前記インカメラの目隠しと露出が可能となる。【００１０】また、シートを張り付けた状態のままで前記携帯端末およびディスプレイ装置の蓋もしくはカバーを閉じる、または折りたたむ事が可能である。【００１１】さらに、前記手段を用いたシートは、一枚で偏平のシートを切り出し加工するのみで制作することができるため、前記特許文献１の考案と比較して制作に関わる工数、費用を大幅に削減する事が可能である。
【図面の簡単な説明】
【００１２】
【図１】この発明の実施形態をノートパソコンに装着した状態を示す示す斜視図である。
【図２】この発明の実施形態をタブレットコンピュータまたはスマートフォンに装着した状態を示す示す斜視図である。
【図３】この発明の実施形態を示す正面図（インカメラ目隠し状態）である。
【図４】この発明の実施形態を示す斜視図（インカメラ露出状態）である。
【考案を実施するための形態】
【００１３】以下、この発明を図示の実施の形態に基づいて説明する。
【００１４】図１において、１１はノートパソコン、１２はディスプレイ部分、１３はキーボード部分である。１２のディスプレイ部分、１３のキーボード部分は接合部分１４によって折り畳み可能である。Ｂは１２のディスプレイ部分に内蔵されたインカメラであり、この表面にＡのインカメラの不正撮影防止装置が取り付けられている。
【００１５】図２において、２１はタブレットコンピュータまたはスマートフォン、２２はディスプレイ部分、２３は蓋部分である。２２のディスプレイ部分、２３の蓋部分は折り畳みやマグネットやはめ込みの機構により、２２のディスプレイ部分に密着した状態で装着可能である。Ｂは２２のディスプレイ部分に内蔵されたインカメラであり、この表面にＡのインカメラの不正撮影防止装置が取り付けられている。
【００１６】次に、図３及び図４に基づき、前記インカメラの不正撮影防止装置について詳述する。
【００１７】図３は実施形態のインカメラ目隠しの状態を示す。図３において、１０１は折り返し可能なインカメラ目隠し部分であり、この後ろ側に前記インカメラが配置されている。１０２は１０１を折り返した際に１０１を支える支持部分であり、１０１と１０２は折り返しのための切れ込みの加工が施されている。１０３は１０１を折り返した際にインカメラの露出を妨げないための切り欠き部分、１０４は図１における１２まはた図２における２２のディスプレイ部分に張り付ける粘着部分である。
【００１８】使用者は、この１０２の部分の先端を軸として１０１の部分を１０３の切り欠き部分より持ち上げながら外側（図３では右側）へ折り返すことにより、１０３の切り欠き部分が内側へ反転しながら折り返され、図４の実施形態のインカメラ露出の状態となる。
【００１９】図４においては、１０１は外側へ折り返されたインカメラ目隠し部分、１０２は１０１を折り返した際に１０１を支える支持部分、１０３はインカメラの露出を妨げないための切り欠き部分、Ｂは露出されたインカメラである。
【００２０】使用者は図４の状態から１０１のインカメラ目隠し部分を内側へ折り返すことにより、図３の実施形態のインカメラ目隠しの状態に戻すことができる。
【符号の説明】
【００２１】Ａ．．．インカメラの不正撮影防止装置
Ｂ．．．インカメラ
１１．．．ノートパソコン
１２．．．ディスプレイ部分
１３．．．キーボード部分
１４．．．接合部分
２１．．．タブレットコンピュータまたはスマートフォン
２２．．．ディスプレイ部分
２３．．．蓋部分
１０１．．．インカメラ目隠し部分
１０２．．．支持部分
１０３．．．切り欠き部分
１０４．．．粘着部分
【図１】
0003194999.tif 000003
【図２】
0003194999.tif 000004
【図３】
0003194999.tif 000005
【図４】
0003194999.tif 000006
【手続補正書】
【提出日】平成26年9月29日(2014.9.29)
【手続補正１】
【補正対象書類名】実用新案登録請求の範囲
【補正対象項目名】請求項２
【補正方法】変更
【補正の内容】
【請求項２】
請求項１に記載されたインカメラの不正撮影防止装置において用いられるシートであって、前記基本構造に前記インカメラの周囲に張り付ける粘着部分を有するシート。